(57)【要約】 【課題】  １の桁と１０の桁を別々に駆動する日にち表示機構を提供する。【解決手段】  本発明の日にち表示機構は、プログラム歯車セット（８）により駆動される第１表示装置（１）と第２表示装置（２）を有する。このプログラム歯車セット（８）には、日にち歯車（９）が具備される。日にち歯車（９）の歯は、レバー（１６）のビーク（１５）と係合して、歯車が日にちを１日変更する時に、ワンステップ前進させる。各日にちが変わる時の間の期間では、ビーク（１５）は、日にち歯車（９）の第１と第２の歯（１１、１２）の間に係合する。日にちが変わる時に、ビーク（１５）は、第１と第２の歯（１１、１２）から切り離されて、第２と第３の歯（１２、１３）との間に係合し、これにより歯車をワンステップ前進させる。【選択図】  図１
2009531650.tif 000002
【特許請求の範囲】
【請求項１】
第１表示装置（１）と第２表示装置（２）とを有する時計の日にち表示駆動機構において、
前記第１表示装置（１）と第２表示装置（２）は、それぞれ日にち一の桁（３）と十の桁（４）とを表示し、
前記第１表示装置（１）と第２表示装置（２）は、プログラム歯車セット（８）により駆動され、
前記プログラム歯車セット（８）は、３１枚の歯（１０）を有する日にち歯車（９）を搭載し、  
前記日にち歯車（９）は、日にちが変わる間、レバー（１６）のビーク（１５）により駆動され、前記日にち歯車（９）はワンステップ前進し、
日にちが変わる時の間の期間は、前記ビーク（１５）は、前記日にち歯車（９）の第１歯（１１）と第２歯（１２）との間に係合し、
日にちが変わる時は、前記ビーク（１５）は、前記日にち歯車（９）の第１歯（１１）と第２歯（１２）の係合から外れ、前記日にち歯車（９）の第２歯（１２）と第３歯（１３）の間に入り、前記日にち歯車（９）がワンステップ前進する
ことを特徴とする時計の日にち表示駆動機構。
【請求項２】
前記プログラム歯車セット（８）は、
前記第１表示装置（１）を、３１日を除く毎日の終わりに、ワンステップ駆動し、
前記第２表示装置（２）を、９日、１９日、２９日、３１日の終わりに、ワンステップ駆動する
ことを特徴とする請求項１記載の時計の日にち表示駆動機構。
【請求項３】
前記レバー（１６）は、軸真（１８）を中心に回転し、
日にちが変わる時の間の期間は、前記レバー（１６）のビーク（１５）は、前記日にち歯車（９）の第１歯（１１）と第２の歯（１２）との間に、前記レバー（１６）を押す復帰スプリング（１７）の力により、係合し保持されている
ことを特徴とする請求項１記載の時計の日にち表示駆動機構。
【請求項４】
前記レバー（１６）のビーク（１５）は、各日にちの終わりの時に、時計のムーブメントにより駆動されるカム（１９）により、前記日にち歯車（９）から切り離され、
前記カム（１９）と前記レバー（１６）のフィンガ（２０）との共働作用により、前記日にち歯車（９）が、ワンステップ前進する
ことを特徴とする請求項３記載の時計の日にち表示駆動機構。
【請求項５】
前記カム（１９）は、第１上向きセクタ（２３）と第２下向きセクタ（２４）とを有し、
前記第１上向きセクタ（２３）は、日にちが変わる前に前記レバー（１６）のフィンガ（２０）が登る傾斜面を有し、
前記第２下向きセクタ（２４）は、前記カム（１９）の回転軸（２５）に対し半径方向に形成され、
前記第２下向きセクタ（２４）には、日にちが変わる時に、前記フィンガ（２０）が入り込む空間が形成され、
前記レバー（１６）は、前記日にち歯車（９）をワンステップ前進させる
ことを特徴とする請求項４記載の時計の日にち表示駆動機構。
【請求項６】
前記レバー（１６）のビーク（１５）は、時計の日にちを修正する為に、日にち歯車（９）から、プッシャー（２１）により切り離され、
前記プッシャー（２１）は、前記レバー（１６）の駆動ピン（２２）と共働して、前記日にち歯車（９）をワンステップ前進させる
ことを特徴とする請求項３記載の時計の日にち表示駆動機構。
【発明の詳細な説明】
【技術分野】
【０００１】
本発明は、日にち一の桁と十の桁とをそれぞれ表示する第１と第２の表示装置を有する時計の日にち表示駆動機構に関する。前記第１と第２の表示装置は、プログラム歯車セットにより駆動される。前記プログラム歯車セットは、３１枚の歯を有する日にち歯車を搭載する。前記日にち歯車はレバーのビークにより駆動され、前記日にち歯車はワンステップ前進し、日にちが変わる。
【背景技術】
【０００２】
上記の日にち駆動機構は従来公知である。この駆動機構は、大きな日にち時計と称する時計に搭載され、日にちは時計の文字板に形成された大きな開口から見ることができる。上記の２個のリングを有する駆動機構は、この日にちが１個のリングに記載される日にち駆動機構（リングが一日に11.5度（=360/31）動く）より大きな寸法を有する。
【０００３】
特許文献１に開示されるように、日にちの１の単位と１０の単位を表わす第１と第２の表示装置はプログラム歯車セットにより駆動される。このプログラム歯車セットは、第１表示装置を３１日を除く毎日の終わり時にワンステップ駆動し、第２表示装置を９日、１９日、２９日、３１日の終わり時にワンステップ駆動する。
【０００４】
【特許文献１】ＷＯ０１／７７７５６号公開公報
【０００５】
同特許文献に開示されたプログラム歯車セットは、３１枚の歯を有する日にち歯車を搭載する。この日にち歯車はレバーのビークにより駆動され、そしてこのレバーが、時計の駆動機構により、または日にちを修正する時に手動で、制御される。両方とも日にちの変更は、レバーのビークが、手動によりあるいは駆動機構により、日にち歯車の２枚の歯の間に入り込み、日にち歯車をワンステップ前進させる時に、行われる。
【０００６】
この作業が完了すると、復帰スプリングがレバーにかける力により、レバーのビークは、歯車から外れる。
【発明の開示】
【発明が解決しようとする課題】
【０００７】
この従来構成は、表示装置の一方が他方に伴走する（racing）欠点がある。すなわち、日にちの修正をプッシャーにより行う場合、手動によるプッシャーにかかる力は一定ではなく、プッシャーを押すユーザの力強さに依存する為、日にち歯車とそれに接続されるプログラム歯車セットは、十の桁の表示装置あるいは一の桁の表示装置を、１回のステップの所望の振れ角を超えて、慣性により駆動してしまう。その結果二つの桁あるいは一方の桁の前進が起こることがある。十の桁の表示装置に対しては、この危険性は、修正が９日、１９日、２９日、３１日で行われた時に発生し、一の桁の表示装置の場合には、修正が３０日に行われた時に発生する。その結果、二つの桁の表示装置の間の同期が外れることになり、この同期は、時計を開いてその順序を回復する場合のみ修正できる。
【０００８】
上記の欠点を解決する為に、２９日から３０日への日にちの変更と、３０日から翌月１日への日にちの変更に際しては、特許文献１では、ラチェットと２本のピンを採用して、表示装置の一方または他方のracingを阻止している。この従来のシステムは、比較的複雑で追加の部品を必要とし、これにより時計の製造コストが上がる欠点がある。
【課題を解決するための手段】
【０００９】
本発明の構成は、２個ある表示装置の一方または他方のracingを阻止するが、これは日にちの変更がいつ行われても、また追加の部品を必要とすることなく、行うことができる。本発明の日にち表示の駆動機構は、段落０００１に記載した構成に加え、各日にちが変わる時の間の時間帯（即ち、一日の終わりと始まり（真夜中）以外の通常の時間帯）では、レバーのビークは、日にち歯車の第１と第２の歯の間に係合する。日にちが変わる時（真夜中）に、ビークは、第１と第２の歯から離れて、第２と第３の歯との間に係合し、これにより歯車をワンステップ前進させる。
【実施例】
【００１０】
本発明の日にちの駆動機構を図面に示す。この日にち表示の駆動機構は、２つの表示装置を有する。第１表示装置１は日にちの一の桁表示部３を表示（図示されている数字は「４」である）し、第２表示装置２は日にちの十の桁表示部４（図示されている数字は「２」である）を表示する。第１と第２の表示装置１、２は、互いに同軸に搭載され、十の桁表示部４は一の桁表示部３の内側に配置される。この日にちは、時計の文字盤に配置された開口を介して見ることができる。第１と第２の表示装置１、２は、プログラム歯車セット８により駆動される。
【００１１】
プログラム歯車セット８は、一の桁表示部３を有する第１表示装置１を、３１日（この日は駆動されない）を除く毎日の終わりに、ワンステップ駆動する。図３、４によれば、第１表示装置１は星形歯車２５’を具備する。この星形歯車２５’は１０個の枝状突起部２６を有する。この枝状突起部２６は、３０枚の歯２８を有する歯車２７と噛み合う。この３０枚の歯２８はプログラム歯車セット８に固定される。歯車２７は、歯が１つ欠けた部分であるスペース２９を有する。その結果、第１表示装置１は、日にちが月の３１日から翌月の１日に移行する時には、駆動されない。数字「１」は動かず、かくしてこの数字「１」は、前月の３１日と翌月の１日の両方に使用される。
【００１２】
プログラム歯車セット８は、十の桁表示部４を有する第２表示装置２を９日、１９日、２９日、３１日の終わりの時にワンステップ駆動する。図３、４によれば、十の桁表示部４を有する第２表示装置２には、４個の枝状突起部３１を有するピニオン３０を具備する。これらの枝状突起部３１は、プログラム歯車セット８に固定された４個の突起部３２の内の一つと噛み合う。これらの突起部３２は、プログラム歯車セット８に配置されて、十の桁表示部４を有する第２表示装置２を、上記の９日、１９日、２９日、３１日の終わりに、ワンステップ前進させる。
【００１３】
図３、４によれば、プログラム歯車セット８は、日にち歯車９を搭載する。この日にち歯車９は、その周囲に均等に分布した３１枚の歯１０を有する。日にち歯車９は、レバー１６のビーク１５により駆動される。この実施例におりては、復帰スプリング１７は、レバー１６に作用し、これによりレバー１６は軸真１８を中心に回転する。
【００１４】
図１は、日にちが変わる時の間の状態の駆動機構を示す。本発明によればこれは静止位置である。レバー１６のビーク１５が、日にち歯車９の第１歯車１１と第２歯車１２の間に係合している。この構成は、第１の利点を有する。この第１の利点は駆動機構（例えば、日にち歯車９）をブロックしている点である。この構成により、日にちが変化する時の間（通常の時間帯）中、日にち歯車９を偶発的に回転させるような衝撃に耐えることができる。かくして本発明の構成は、従来技術で採用されている日にち歯車９のビークを解放し、１個のジャンパー・スプリング３４を歯にかけることによってのみ衝撃に耐えるようにしている従来構成とは一線を画す。この日にち歯車９の歯へのビーク１５の係合は、レバー１６に力を加える復帰スプリング１７の力により確実に行われる。図１では、表示された日にちは２４日である。
【００１５】
図２は、修正用プッシャーを駆動することにより、日にち歯車９の変化の開始時における本発明の駆動機構の状態を示す。同図において、この修正用プッシャーは図示されていないが、ステム２１がそれに関連する。このステム２１は、復帰スプリング３５により予め付勢されている。図２によれば、レバー１６のビーク１５は、手動で日にちを修正する為には、日にち歯車９から切り離される。この解放は、その修正用プッシャーのステム２１の手段により行われる。ステム２１は、レバー１６に搭載された駆動ピン２２と共働して、ステム２１が、このステム２１に関連するプッシャーに加わる力により、矢印Ｂの方向に動いた時に、このレバー１６を軸真１８を中心に時計方向に回転させる。この時点で、レバー１６のビーク１５は、日にち歯車９の第１歯車１１と第２歯車１２から切り離され（外れ）て、第２歯１２と第３歯１３と向かい合った場所に来る。図２に示すように、表示された日にちは、依然として２４日である。
【００１６】
図３は、時計のムーブメントにより加えられる動作により、日にちが変わる開始時における本発明の駆動機構の状態を示す。これは日にちの変化であり、各日にちの終了時（真夜中）に起こる。ここでレバー１６のビーク１５は、日にち歯車９から、時計のムーブメントにより駆動されるカム１９により切り離される。このカム１９は、矢印Ａの方向に回転しながら２４時間に１回転し、レバー１６のフィンガ２０と係合する。前述の場合と同様に、レバー１６のビーク１５は、日にち歯車９の第１歯車１１と第２歯車１２から切り離され（外れ）て、第２歯１２と第３歯１３と向かい合った場所に来る。図３に示すように、表示された日にちは、依然として２４日である。
【００１７】
図３によれば、カム１９は、小さな傾斜を有する第１上向きセクタ２３を有する。カム１９が矢印Ａの方向に回転すると、レバー１６のフィンガ２０は、この第１上向きセクタ２３を登ることにより動き出し、これにより、レバー１６を時計方向に回転させて、ビーク１５を日にち歯車９の歯から解放する（切り離す）。図３に示すように、この解放は、フィンガ２０の先端が第１上向きセクタ２３の先端に来た時に、最大となる。
【００１８】
図４は、日にちの変化の終了時（翌日の早朝）における本発明の駆動機構の状態を示す。図４によれば、ビーク１５は、日にち歯車９の第２歯１２と第３歯１３の間に入り込む。これにより日にち歯車９は時計方向に回転し、一の桁表示部３を有する第１表示装置１がワンステップ前進する。この第１表示装置１は、その後、（数字の）「４」から「５」に変わる。その結果、表示された日にちは２４日から２５日に変わる。この日にちの変化は、手動、あるいはプッシャーにかかる圧力を解放することにより、あるいは日にちの終わりに時計のムーブメントにより機械的に、行われる。
【００１９】
図４は、ステム２１が矢印Ｃの方向にプッシャーにかかる手動力を解放することにより静止位置に戻る状態を示す。この戻り動作は復帰スプリング３５により行われる。この時点で復帰スプリング１７により予め付勢されている為、レバー１６は、反時計方向に回転し、ビーク１５は、日にち歯車９の第２歯１２と第３歯１３の間に入り込み、これにより日にち歯車９が、ワンステップ回転する。
【００２０】
かくして修正用プッシャーによる日にちの変更は、プッシャーを押した時ではなく、プッシャーを解放した時に、行われる。これは本発明の重要な点である。すなわち日にち歯車９をワンステップ前進させる為に、この日にち歯車にかける力は、復帰スプリング１７からのみ得られ、プッシャーにかけるユーザの力から得られるものではない。この手動による力は制御不能で一定ではないが、スプリングの力は完全に一定で調整可能である。プッシャーにかかる手動力による日にちの変更は、表示装置の一方あるいは他方を回転させ、両者の同期を外すことになる。同期を回復させる為には時計の蓋を開かなくてはならない。本発明によれば、日にち表示装置のracingはあり得ない。その理由は、日にちの変更行う為に、復帰スプリングによりレバーにかかる力は、完全に制御可能でかつ調整可能であり、この様なracingを阻止する。
【００２１】
図３によれば、カム１９は、第２下向きセクタ２４を有する。この第２下向きセクタ２４は、カムの回転軸２５に対し半径方向に形成される。第２下向きセクタ２４は、その内側に空間を有し、その空間中にフィンガ２０は、このカム１９が矢印Ａの方向に回転し続けるとすなわち日にちの変化が起こった時に、入り込む。フィンガ２０がそのカム１９の空間内に落ち込むことにより、レバー１６は反時計方向に瞬時に回転する。これによりビーク１５は、第２歯１２と第３歯１３の間に入り込む。これにより日にち歯車９の瞬間的な前進が引き起こされ、それ故に表示装置の一方あるいは他方の瞬間的変化を引き起こす。真夜中に日にちが変わることは、ある日から翌日に移るのに数十分かかるようなトレイリング（trailing）あるいは半瞬間的機構を有する大きな日にち表示時計では、提案されていない。
【００２２】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈する為に用いてはならない。また、同一番号でも明細書と特許請求の範囲の部品名は必ずしも同一ではない。これは上記した理由による。
【図面の簡単な説明】
【００２３】
【図１】本発明の駆動機構が、日にちが変わる時の間の状態を表わす図。
【図２】本発明の駆動機構が、修正用プッシャーに力をかけることにより日にちの変更が開始する状態を表わす図。
【図３】本発明の駆動機構が、時計のムーブメントによりかかる力により日にちの変更が開始する状態を表わす図。
【図４】本発明の駆動機構による日にちの変化の終了時の状態を表わす図。
【符号の説明】
【００２４】
１    第１表示装置
２    第２表示装置
３    一の桁表示部
４    十の桁表示部
８    プログラム歯車セット
９    日にち歯車
１０  歯
１１  第１歯
１２  第２歯
１５  ビーク
１６  レバー
１７  復帰スプリング
１８  軸真
１９  カム
２０  フィンガ
２１  ステム
２２  駆動ピン
２３  第１上向きセクタ
２４  第２下向きセクタ
２５  回転軸
２５’星形歯車
２６  枝状突起部
２７  歯車
２８  歯
２９  スペース
３０  ピニオン
３１  枝状突起部
３２  突起部
３４  ジャンパー・スプリング
３５  復帰スプリング
【図１】
2009531650.tif 000003
【図２】
2009531650.tif 000004
【図３】
2009531650.tif 000005
【図４】
2009531650.tif 000006
【国際調査報告】
2009531650.tif 000007
2009531650.tif 000008
2009531650.tif 000009
2009531650.tif 000010
2009531650.tif 000011
2009531650.tif 000012